(57)【要約】【課題】携帯電話機のボタン構造を簡単な構成で設計自由度及び防水性の高いものにする。【解決手段】キートップ１１に背面側キャビネット４内に配置された押圧式ボタン１５を押圧する押圧部１２を一体に設け、押圧部１２と押圧式ボタン１５との間において、防水シート１６をボタン用開口１０周縁内側全周に密着して貼り付ける。キートップ１１周縁に、キートップ１１をボタン用開口１０に押圧式ボタン１５と反対側から挿入したときにボタン用開口１０内面に係合される上下係合爪１３及び背面側係合爪１４を設ける。【選択図】図１
2014216807.tif 000002
【特許請求の範囲】
【請求項１】
筐体のボタン用開口からキートップが露出する防水型の携帯端末において、
上記筐体内に配置された押圧式ボタンと、
上記キートップに一体又は別体に設けられ、上記押圧式ボタンを押圧する押圧部と、
上記ボタン用開口周縁内側全周に密着して貼り付けられ、上記押圧部と上記押圧式ボタンとの間に挟み込まれる防水シートと、
上記キートップの挿入方向側に設けられ、該キートップを上記ボタン用開口に上記押圧式ボタンと反対側から挿入したときに該ボタン用開口内面に係合される係合爪とを備えている
ことを特徴とする携帯端末。
【請求項２】
請求項１に記載の携帯端末において、
上記防水シートは、上記ボタン用開口周縁内側全周と上記防水シートとの間に介在する両面テープによって貼り付けられている
ことを特徴とする携帯端末。
【請求項３】
請求項１又は２に記載の携帯端末において、
上記防水シートには、上記押圧式ボタンに合わせて突起部が一体に形成されている
ことを特徴とする携帯端末。
【請求項４】
請求項１から３までのいずれか１つに記載の携帯端末において、
上記防水シートと上記押圧式ボタンとの間にキートップの押圧感覚を向上させる押圧感覚改善シートが介在する
ことを特徴とする携帯端末。
【請求項５】
請求項１から４までのいずれか１つに記載の携帯端末において、
上記防水シートは、上記押圧式ボタンが設けられたメイン基板の周辺に設けたホルダーにより内側から上記ボタン用開口周縁内側が押さえ付けられている
ことを特徴とする携帯端末。
【発明の詳細な説明】
【技術分野】
【０００１】
本発明は、筐体のボタン用開口からキートップが露出する防水型の携帯端末に関するものである。
【背景技術】
【０００２】
従来より、例えば、特許文献１に示すように、防水性を備えた携帯端末が、内面とフランジ部との間に設けられ、胴体部を周方向に連続して囲む枠状に成形され、筐体及びフランジ部に軸方向に伸縮可能に密着した弾性部材を有することが知られている。
【先行技術文献】
【特許文献】
【０００３】
【特許文献１】特開２０１３−５４９６５号公報
【発明の概要】
【発明が解決しようとする課題】
【０００４】
しかしながら、従来の携帯端末では、キートップが抜け止め防止のフランジ部を有するため、外側から取り付けることができず、キートップの形状、取付位置等の自由度が低い。
【０００５】
また、防水のためのウレタンを接着剤で筐体の内面とフランジ部との両方に密着させる必要があり、接着剤の塗布が面倒であるという問題があった。
【０００６】
本発明は、かかる点に鑑みてなされたものであり、その目的とするところは、携帯端末のボタン構造を簡単な構成で設計自由度及び防水性の高いものにすることにある。
【課題を解決するための手段】
【０００７】
上記の目的を達成するために、この発明では、キートップを外側から嵌め込んでも外れにくくしながら防水性を確保するようにした。
【０００８】
具体的には、第１の発明では、筐体のボタン用開口からキートップが露出する防水型の携帯端末を前提とする。
【０００９】
そして、上記携帯端末は、
上記筐体内に配置された押圧式ボタンと、
上記キートップに一体又は別体に設けられ、上記押圧式ボタンを押圧する押圧部と、  上記ボタン用開口周縁内側全周に密着して貼り付けられ、上記押圧部と上記押圧式ボタンとの間に挟み込まれる防水シートと、
上記キートップの挿入方向側に設けられ、該キートップを上記ボタン用開口に上記押圧式ボタンと反対側から挿入したときに該ボタン用開口内面に係合される係合爪とを備えている。
【００１０】
上記の構成によると、キートップをボタン用開口に押圧式ボタンと反対側から挿入したときに、キートップに設けた係合爪が、ボタン用開口内面に係合されるので、簡単な構成でキートップが抜け止めされる。防水シートは、一方側の面でボタン用開口周縁内側全周に密着して貼り付けられるので、両面接着に比べて構成及び工程が簡単である。
【発明の効果】
【００１１】
以上説明したように、本発明によれば、防水シートをボタン用開口周縁内側全周に密着して貼り付け、キートップ周縁にキートップをボタン用開口に挿入したときにその内面に係合される係合爪を設けたことにより、携帯端末のボタン構造を簡単な構成で設計自由度及び防水性の高いものにすることができる。
【図面の簡単な説明】
【００１２】
【図１】図２（ａ）のＩ−Ｉ線拡大断面図である。
【図２】本発明の実施形態に係る携帯電話機を示し、（ａ）が正面から見た斜視図で、（ｂ）が背面から見た斜視図である。
【図３】携帯電話機を正面側から見た分解斜視図である。
【図４】携帯電話機を背面側から見た分解斜視図である。
【図５】図１のＶーＶ線断面図及びその一部拡大断面図である。
【図６】図１のVIーVI線断面図及びその一部拡大断面図である。
【図７】（ａ）及び（ｂ）は、それぞれキートップを別々の方向から見た斜視図である。
【図８】ボタン用開口及びその周辺を拡大して示す右側面図である。
【発明を実施するための形態】
【００１３】
以下、本発明の実施形態を図面に基づいて説明する。
【００１４】
図２〜図４は、本発明の実施形態の携帯端末としての携帯電話機１を示し、この携帯電話機１は、防水型のもので、正面側に表示部２が嵌め込まれる、正面側キャビネット３と、この正面側に結合される、筐体としての背面側キャビネット４とを備え、背面側キャビネット４の背面がリアカバー５で覆われている。図４に示すように、表示部２と背面側キャビネット４との間には、メイン基板６が内蔵され、その下側背面にバッテリー７が収容されている。メイン基板６の上側背面には、サブ基板８ａを支持するサブ基板ホルダー８が設けられ、その背面側に、外部入力のためのジャック（図示せず）を接続する、ジャックホルダー９が設けられている。
【００１５】
そして、背面側キャビネット４の右側面上側には、図８に示すように、ボタン用開口１０が形成されている。このボタン用開口１０は、例えば、外側周縁の形状が、上下に長い長円形であり、左右内側には、矩形状の貫通部１０ａが形成され、その貫通部１０ａの周縁に段部１０ｂが形成されている。段部１０ｂには、一対の凹部１０ｃが設けられている。この段部１０ｂにより、キートップ１１の奥側への移動が規制されている。そして、キートップ１１の挿入後には、図２（ａ）に示すように、ボタン用開口１０からキートップ１１が露出するようになっている。
【００１６】
図７に示すように、本発明の実施形態のキートップ１１は、ボタン用開口１０の外側周縁形状に対応する長円形のキートップ本体１１ａを有する。このキートップ本体１１ａの内側に一対の押圧部１２が突設されている。この一対の押圧部１２を挟み込むように上下係合爪１３が、一対の押圧部１２間に背面側係合爪１４がそれぞれ一体に形成されている。図１及び図７に拡大して示すように、上下係合爪１３は、右側から挿入方向を見たときに、キートップ本体１１ａに隠れる位置に設けられ、その先端の鉤部１３ａが、図１に示すようにボタン用開口１０の内面に設けた被係合部１０ｄに係合されるようになっている。背面側係合爪１４は、図５に示すように、その鉤部１４ａが下側から見たときに、キートップ本体１１ａよりも背面側に飛び出す位置に設けられている。背面側係合爪１４は、正面側には設けられていないので、キートップ１１をボタン用開口１０へ左右外側から押し込む際に、ボタン用開口１０の周縁にぶつかりにくく、背面側キャビネット４を傷つけることなく、嵌め込みやすくなっている。
【００１７】
本実施形態では、押圧部１２は、図７に示すように、四角柱状であるが、円柱状でもよい。この一対の押圧部１２は、キートップ本体１１ａに一体成形されており、メイン基板６に設けられた一対の押圧式ボタン１５を押圧する役割を果たす。
【００１８】
図７（ａ）に示すように、押圧部１２に対応してキートップ本体１１ａには、一対の突部１１ｂが形成されており、この一対の突部１１ｂが、図８に示す段部１０ｂの一対の凹部１０ｃにそれぞれ嵌合することで、キートップ本体１１ａの上下方向へのずれが防止されている。
【００１９】
図５及び図６にも拡大して示すように、押圧部１２と押圧式ボタン１５との間には、シリコンゴム、エラストマー等よりなる防水シート１６が挟み込まれている。この防水シート１６は、ボタン用開口１０周縁内側全周に例えば、矩形枠状の両面テープ１７により、密着して貼り付けられている。
【００２０】
また、図３に示すように、防水シート１６には、押圧式ボタン１５に合わせて突起部１６ａが一体に形成されている。突起部１６ａは、例えば防水シート１６が、シリコンゴム又はエラストマーよりなる場合には、その成形時に一体に形成すればよいし、ＰＥＴ（ポリエチレンテレフタレート）樹脂製シートの場合には、ＵＶ成形で設けてもよい。
【００２１】
そして、図３に示すように、防水シート１６と押圧式ボタン１５との間には、キートップ１１の押圧感覚を向上させる押圧感覚改善シート１８が介在している。例えばこの押圧感覚改善シート１８は、ＰＥＴ樹脂シートよりなり、押圧式ボタン１５に合わせて配置された一対の矩形部分１８ａが介在することで、適度な堅さを与えて押圧式ボタン１５を押圧したときの感触をよくしている。
【００２２】
防水シート１６は、押圧式ボタン１５が設けられたメイン基板６の周辺に設けたサブ基板ホルダー８により内側からボタン用開口１０周縁内側が押さえ付けられている。
【００２３】
本実施形態では、以上のように構成したので、以下の効果が発揮される。
【００２４】
（１）キートップ１１をボタン用開口１０に押圧式ボタン１５と反対側から挿入したときに、キートップ１１に設けた上下係合爪１３及び背面側係合爪１４が、ボタン用開口１０内面に係合されるので、簡単な構成でキートップ１１が抜け止めされる。そして、防水シート１６は、一方側の面でボタン用開口１０周縁内側全周に密着して貼り付けられるので、両面接着に比べて構成及び工程が簡単である。
【００２５】
（２）防水シート１６は、ボタン用開口１０周縁内側全周と防水シート１６との間に介在する両面テープ１７によって貼り付けられているので、両面テープ１７を防水シート１６の一方側の面のみに貼り付ければよくなり、その貼付が極めて容易である。
【００２６】
（３）防水シート１６に押圧式ボタン１５に合わせて突起部１６ａを一体に形成したことにより、押圧部１２に押し下げられた突起部１６ａによって押圧式ボタン１５が確実に押圧され、押圧感覚もよくなる。
【００２７】
（４）防水シート１６と押圧式ボタン１５との間にキートップ１１の押圧感覚を向上させる押圧感覚改善シート１８を介在させたので、押圧感覚が格段に向上し、押し間違いが回避される。
【００２８】
（５）防水シート１６は、押圧式ボタン１５が設けられたメイン基板６の周辺に設けたサブ基板ホルダー８により内側からボタン用開口１０周縁内側が押さえ付けられているので、防水シート１６の密着性が更に向上して防水性を確保することができる。
【００２９】
（６）上下係合爪１３をキートップ１１の外形よりも内側に対向する位置に一対設ける一方、キートップ１１の左右幅よりも外側に突出する鉤部１４ａを有する背面側係合爪１４を一方のみに設けたことにより、キートップ１１を無理矢理押し込まなくてもよくなり、背面側キャビネット４に傷が付くのを防ぐことができる。
【００３０】
このように、本実施形態によれば、携帯電話機１のボタン構造を簡単な構成で設計自由度及び防水性の高いものにすることができる。
【００３１】
（その他の実施形態）
本発明は、上記実施形態について、以下のような構成としてもよい。
【００３２】
すなわち、上記実施形態では、キートップ１１は、一対の押圧部１２を有するものとしたが、１つだけ有するものとしてもよい。
【００３３】
キートップ１１は、背面側キャビネット４の右側側面に設けたが、左側側面や、上下側面に設けてもよく、正面側や背面側に設けてもよい。これは、キートップ１１が抜け止めのための、従来のようなフランジ部を有さず、キートップの形状、取付位置等の自由度が高いためである。
【００３４】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３５】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３６】
１      携帯電話機（携帯端末）
２      表示部
３      正面側キャビネット
４      背面側キャビネット
５      リアカバー
６      メイン基板
７      バッテリー
８      サブ基板ホルダー
８ａ    サブ基板
９      ジャックホルダー
１０      ボタン用開口
１０ａ    貫通部
１０ｂ    段部
１０ｃ    凹部
１０ｄ    被係合部
１１      キートップ
１１ａ    キートップ本体
１１ｂ    突部
１２      押圧部
１３      上下係合爪
１３ａ    鉤部
１４      背面側係合爪
１４ａ    鉤部
１５      押圧式ボタン
１６      防水シート
１６ａ    突起部
１７      両面テープ
１８      押圧感覚改善シート
１８ａ    矩形部分
【図１】
2014216807.tif 000003
【図２】
2014216807.tif 000004
【図３】
2014216807.tif 000005
【図４】
2014216807.tif 000006
【図５】
2014216807.tif 000007
【図６】
2014216807.tif 000008
【図７】
2014216807.tif 000009
【図８】
2014216807.tif 000010